(57)【特許請求の範囲】
【請求項１】
画像情報を表示する平板状の表示器と、
この平板状の表示器と空気層を介して互に平行となるように対向配置された透明な平板であって、前記平板の周辺部分が前記表示器の対向する部位と０．０５ｍｍ以上０．５ｍｍ以下の範囲内で予め定めた一定の間隔を置いて配置され、前記表示器との対向面に数μｍ〜２０μｍの粒状の凹凸を一様に有する前面板と、
前記表示器の前記前面板と対向する面と反対側の面と一方の面を接着させ、他方の面側には拡散板を経て発光源が配置されると共に、内部に光を透過させる小孔を多数配置した透光性の両面テープ
とを具備することを特徴とする携帯型情報処理装置のディスプレイ。
【請求項２】
装置本体の外部と接する平板状で透明な前面板と、
この平板状の前面板と空気層を介して互に平行となるように対向配置され画像情報を表示する平板であって、前記平板の周辺部分が前記前面板の対向する部位と０．０５ｍｍ以上０．５ｍｍ以下の範囲内で予め定めた一定の間隔を置いて配置され、前記前面板との対向面に数μｍ〜２０μｍの粒状の凹凸を一様に有する表示器と、
この表示器の前記前面板と対向する面と反対側の面と一方の面を接着させ、他方の面側には拡散板を経て発光源が配置されると共に、内部に光を透過させる小孔を多数配置した透光性の両面テープ
とを具備することを特徴とする携帯型情報処理装置のディスプレイ。
【請求項３】
装置本体の外部と一方の面が接する平板で、前記一方の面と反対側の面に数μｍ〜２０μｍの粒状の凹凸を一様に有した透明な前面板と、
この前面板と空気層を介して互に平行となるように対向配置され画像情報を表示する平板であって、前記平板の周辺部分が前記前面板の対向する部位と０．０５ｍｍ以上０．５ｍｍ以下の範囲内で予め定めた一定の間隔を置いて配置され、前記前面板の前記一方の面と反対側の面と対向する対向面に数μｍ〜２０μｍの粒状の凹凸を一様に有する表示器と、
この表示器の前記前面板と対向する面と反対側の面と一方の面を接着させ、他方の面側には拡散板を経て発光源が配置されると共に、内部に光を透過させる小孔を多数配置した透光性の両面テープ
とを具備することを特徴とする携帯型情報処理装置のディスプレイ。
【発明の詳細な説明】
【技術分野】
【０００１】
本発明は、携帯電話機、ＰＨＳあるいはＰＤＡ、ノート型のパーソナルコンピュータのように携帯可能な情報処理装置のディスプレイに係わり、特に平板状のディスプレイを備えた比較的小型の携帯型情報処理装置のディスプレイに関する。
【背景技術】
【０００２】
携帯電話機、ＰＨＳ（Personal Handy-phone System）あるいはＰＤＡ（Personal Digital Assistant）等の小型の情報処理装置は携帯に便利であり、広く普及している。このような情報処理装置の多くは、液晶ディスプレイや有機ＥＬ（Electro Luminescence）ディスプレイのような薄型のディスプレイを使用して、重量とサイズの軽減を図っている。
【０００３】
図５は、従来の折り畳み型の携帯電話機におけるディスプレイの配置されている部分を切断したものである。携帯電話機１０１の筐体１０２の内部には表示器１０３が組み込まれており、その上部には、枠状の防塵用のクッション１０４を介して平板状の透明な前面板１０５が配置されている。前面板１０５は、表示器１０３を保護するためのものである。
【０００４】
図６は、図５における円１０６で囲んだ部位を拡大したものである。表示器１０３と図でその上に配置された前面板１０５の間には、図５に示した防塵用のクッション１０４によって空気層１１１が存在している。また、表示器１０３の下側にはバックライト１１２がバックライト支持フレーム１１３上に載置される形で配置されている。バックライト１１２は、面発光する導光板１１４と、図でその下に配置されて光を表示器１０３の方向に反射する反射板１１５と、表示器１０３の方向に出力される光を散乱あるいは拡散させる拡散板１１６から構成されている。拡散板１１６と表示器１０３の間は、空隙１１７となっている。バックライト支持フレーム１１３の下面には、回路基板固定用両面テープ１１８の一方の面が接着しており、他方の面には回路基板１１９が接着されている。
【０００５】
このような携帯電話機１０１では、小型化のために部品全体の厚さを薄くしており、したがって、前面板１０５と表示器１０３との間の空気層１１１の厚さも薄くなっている。このため前面板１０５に外力等の力が加わるとこれが変形して表示器１０３と接触する場合がある。
【０００６】
図７は、前面板と表示器が接触した状態を表わしたものである。前面板１０５と表示器１０３は共に樹脂製である。したがって、両者の屈折率がほぼ等しいような場合、両者が平面同士で密接してその部分の空気層がなくなると、接触部分の透過率に変化がなくなり、光の透過割合が増加する。この結果、前面板１０５と表示器１０３の密着部分が黒い染み状の模様となり、美観を損ねる、あるいは見栄えが悪くなるという問題があった。
【０００７】
ところで、従来から表示器の下方から拡散した光を入射させるための拡散板の表面に、マット加工や鋸の歯のようなセレーション加工を施すことが提案されている（たとえば特許文献１参照）。
【特許文献１】特開昭６３−２６６２４号公報（第２ページ右上欄第１行目〜第１３行目、図１および図２）。
【発明の開示】
【発明が解決しようとする課題】
【０００８】
この提案では、拡散板と液晶パネルの間の空隙が外力等の力によって接触する場合があることを指摘しており、これにより画面にまだら模様が発生するのを防止するために、液晶パネルに面した拡散板の表面を粗面としている。この提案では液晶パネルと前面板の間を粗面としてもよいとの示唆は行っているものの、その中に示された実施例では粗面処理を行っていない。
【０００９】
これは、たとえば前面板を通常の機械加工で粗面処理を行うと、凹凸面が比較的大きいので、液晶パネルとの間隔が広いことと併せて、前面板を通してみた液晶パネルの画像が大きくぼけてしまうという問題があったからである。携帯型情報処理装置では、小型化のためにディスプレイの面積が限られている。この小さなサイズのディスプレイにできるだけ多くの情報を明確に表示させなければならないという要請がある。したがって、ディスプレイは高解像度が要求されており、この要求を満足させようとすると液晶パネルに対向する前面板側にマット加工やセレーション加工を施すことが事実上できなかったからである。このため、この提案の実施例で示されているように、マット加工やセレーション加工は液晶パネルに面した拡散板の表面に止まっていた。この結果、従来では液晶パネルと前面板の間隔を比較的広くして、両者が接触する事態を極力避けることにするしかなかった。これにより、携帯型情報処理装置の厚さを十分薄くすることができなかった。
【００１０】
そこで本発明の目的は、ディスプレイを構成する表示器とその前面に配置されている透明板が接触してもその部分に目立った模様の変化が発生せず、しかもディスプレイの画像が十分な解像度を保てるようにした携帯型情報処理装置のディスプレイを提供することにある。
【課題を解決するための手段】
【００１１】
本発明では、（イ）画像情報を表示する平板状の表示器と、（ロ）この平板状の表示器と空気層を介して互に平行となるように対向配置された透明な平板であって、前記した平板の周辺部分が前記した表示器の対向する部位と０．０５ｍｍ以上０．５ｍｍ以下の範囲内で予め定めた一定の間隔を置いて配置され、前記した表示器との対向面に数μｍ〜２０μｍの粒状の凹凸を一様に有する前面板と、（ハ）前記した表示器の前記した前面板と対向する面と反対側の面と一方の面を接着させ、他方の面側には拡散板を経て発光源が配置されると共に、内部に光を透過させる小孔を多数配置した透光性の両面テープとを携帯型情報処理装置のディスプレイが具備する。
【００１３】
また、本発明では、（イ）装置本体の外部と接する平板状で透明な前面板と、（ロ）この平板状の前面板と空気層を介して互に平行となるように対向配置され画像情報を表示する平板であって、前記した平板の周辺部分が前記した前面板の対向する部位と０．０５ｍｍ以上０．５ｍｍ以下の範囲内で予め定めた一定の間隔を置いて配置され、前記した前面板との対向面に数μｍ〜２０μｍの粒状の凹凸を一様に有する表示器と、（ハ）この表示器の前記した前面板と対向する面と反対側の面と一方の面を接着させ、他方の面側には拡散板を経て発光源が配置されると共に、内部に光を透過させる小孔を多数配置した透光性の両面テープとを携帯型情報処理装置のディスプレイが具備する。
【００１５】
更に、本発明では、（イ）装置本体の外部と一方の面が接する平板で、前記した一方の面と反対側の面に数μｍ〜２０μｍの粒状の凹凸を一様に有した透明な前面板と、（ロ）この前面板と空気層を介して互に平行となるように対向配置され画像情報を表示する平板であって、前記した平板の周辺部分が前記した前面板の対向する部位と０．０５ｍｍ以上０．５ｍｍ以下の範囲内で予め定めた一定の間隔を置いて配置され、前記した前面板の前記した一方の面と反対側の面と対向する対向面に数μｍ〜２０μｍの粒状の凹凸を一様に有する表示器と、（ハ）この表示器の前記した前面板と対向する面と反対側の面と一方の面を接着させ、他方の面側には拡散板を経て発光源が配置されると共に、内部に光を透過させる小孔を多数配置した透光性の両面テープとを携帯型情報処理装置のディスプレイが具備する。
【発明の効果】
【００１９】
以上説明したように本発明によれば、画像情報を表示する平面を有する表示器とその前面板との周囲の部分を０．０５ｍｍ以上０．５ｍｍ以下の範囲内で予め定めた一定の間隔を置いて接近した状態で配置し、かつ、表示器と前面板の対向面の少なくとも一方に数μｍ〜２０μｍの粒状の凹凸を形成すると共に、この表示器の前記した前面板と対向する面と反対側の面と一方の面を接着させ、他方の面側には拡散板を経て発光源が配置されると共に、内部に光を透過させる小孔を多数配置した透光性の両面テープとを携帯型情報処理装置のディスプレイに具備させた。これにより、表示器と前面板の双方が占める厚さを薄く設定することができ、携帯型情報処理装置のディスプレイの薄型化に大きく寄与する。また、微細な粒状の凹凸の存在によって、画像の解像度を十分保ちながら画素間の境界が目立たなくなり、高品位の画像情報を表示することができる。
【発明を実施するための最良の形態】
【００２０】
以下実施例につき本発明を詳細に説明する。
【実施例１】
【００２１】
図１は、本発明の一実施例における携帯電話機の外観を表わしたものである。この携帯電話機２００は、折り畳み式のタイプのものであり、第１の筐体２０１と第２の筐体２０２をヒンジ機構２０３で開閉自在に連結した構造となっている。第１の筐体２０１には操作部２０４やマイクロフォン２０５が配置されており、第２の筐体にはディスプレイ２０６やスピーカ２０７が配置されている。
【００２２】
図２は、図１に示した携帯電話機のディスプレイの上部を分解した様子を表わしたものである。第２の筐体２０２の開口部２１１にはディスプレイ２０６（図１）を構成する表示器２１２がその図示しない下面を図示しないバックライトの上層に位置する表示器固定用両面テープによって固定されている。表示器２１２の上には、枠状をしたウレタン等の部材からなる防塵用クッション２１３が載置され、更にこの上に開口部２１１に嵌合するように透明な樹脂製の前面板２１４が載置されている。ここで、防塵用クッション２１３の厚さは前面板２１４を載置した状態で０．３ｍｍであり、外力等の力が作用していない状態で、これが表示器２１２と前面板２１４の間の空気層の厚さとなる。携帯電話機２００の薄型化の要請と後に説明する画像のぼけを防止するために、この空気層の厚さは従来の製品に比べて非常に薄くなっている。もちろん、枠状の防塵用クッション２１３の存在によって、何らの力も加わらない状態で表示器２１２と前面板２１４は非接触の状態にある。
【００２３】
図３は、図１のＡ−Ａ方向に第２の筐体を切断した状態を表わしたものである。第２の筐体２０２は、筐体本体２２１とこれと掛合した蓋部２２２からなる。蓋部２２２にはバックライト支持フレーム２２３が組み込まれていて、開口部２１１に露出している。このバックライト支持フレーム２２３の下側には、回路基板固定用両面テープ２２４によって回路基板２２５が接着されている。また、バックライト支持フレーム２２３よりも上側の開口部２１１には、バックライト２２６が配置され、更にその上に表示器２１２および前面板２１４が配置されていることになる。
【００２４】
図４は、図３における円２２８で囲んだ部位を拡大したものである。表示器２１２とその下のバックライト支持フレーム２２３の間に配置されたバックライト２２６は、この図で示すように複数の部品が積層されたものとなっている。これらは表示器２１２に図で上側の面を接着した表示器固定用両面テープ２３１と、その表示器固定用両面テープ２３１の図で下面側と接着された拡散板２３２と、この拡散板２３２の直下に配置されて面発光する導光板２３３と、この導光板２３３から図で下方向に出力される光を反射する反射板２３４とによって構成されている。ここで導光板２３３は、たとえばアクリル板の表面に特殊な加工を施したもので、端面より入れた光を均一に面発光させる板のことをいう。また、表示器固定用両面テープ２３１には光を透過させる小孔が多数配置されており、これらの小孔によって形成される空気層によって表示器２１２へ拡散した光が入射するようになっている。
【００２５】
前面板２１４は、バックライト２２６の表示器２１２と対向する図の下面が一様な凹凸面２１４Ａとして加工されている。このような凹凸面２１４Ａは、数μｍ〜２０μｍ程度の高低差を有する微細な粒子状の凹凸からなる。本実施例では、エッチングで梨地加工した型を、前面板２１４の成型時に押し付けて凹凸を転写することで形成される。凹凸面２１４Ａがこのように微細であり、かつ前面板２１４と表示器２１２の間の空気層２４１が０．３ｍｍと非常に薄いので、前面板２１４を通過してユーザが見ることのできる表示器２１２の画像は十分な解像度を保持することができる。
【００２６】
すなわち、特許文献１に示された従来の技術では、図６に示す表示器１０と前面板１０５の間の空気層の厚さが本実施例に比べると格段に厚く、かつ拡散板１１６に施されたマット加工やセレーション加工による凹凸も荒く高低差も格段に大きい。このため、これと同程度のものを前面板１０５の下面側に施すと、表示器１０３の画像が大きくぼけてしまい実用に耐えられる解像度を得ることができない。本実施例では、凹凸面２１４Ａの凹凸が微小な粒子状で一様に形成されていると共に、空気層２４１が非常に薄くなったことにより、高解像度の表示器１０３でもその精緻な画像を十分表現できるようになっている。
【００２７】
しかも本実施例の携帯電話機２００では、バックライト２２６の最上層を、透過性に優れた表示器固定用両面テープ２３１で構成し、これを表示器２１２の対向する面に直接接触させている。したがって、特許文献１に示された従来の技術における表示器１０３と対向する拡散板１１６の面を同様にマット加工やセレーション加工する必要がなくなり、この部分を粗面とする処理を省略することができる。
【００２８】
このように本実施例では外力の作用によって前面板２１４と表示器２１２が部分的に接触する場合でも、この接触部分を除いて空気層が確保される。しかも、表示器２１２と前面板の凹凸面２１４Ａとは極めて小さな幾つかの点として接触するので、これらの点状の接触部分がユーザの明視距離で認識されることはない。この結果として、従来のように面と面が比較的広い面性で接触して、黒い染み状の模様を発生させるといった不具合は生じなくなる。すなわち、前面板２１４と表示器２１２が外力等の力によって接触した際にも、ディスプレイの見栄えが損なわれることがない。
【００２９】
また、前面板２１４を変形し難く剛性の高いガラス材料等の高価なものに限定する必要がない。したがって、比較的安価な透明な樹脂や透光性の優れた素材を使用することが可能である。もちろん、携帯電話機２００全体の厚さを薄くするために前面板２１４自体の薄型化を図ることができる。更に本実施例では空気層２４１も薄くすることにしたり、表示器２１２と拡散板２３２の間の空気層を表示器固定用両面テープ２３１に置き換えてこの部分の空気層をなくしたので、これらも携帯電話機２００の薄型化に寄与することになる。また、このような薄型化によって、携帯電話機２００全体の重量の軽減も図ることができる。
【００３０】
以上説明した実施例では折り畳み型の携帯電話機について説明したが、ディスプレイと操作部が共通の筐体に配置された一体型の携帯電話機あるいは他の小型の情報処理装置に対して本発明を同様に適用することができることは当然である。また、実施例では前面板における表示器と対向する面を微細な凹凸面２１４Ａとしたが、表示器２１２における前面板２１４と対向する面をこのような微細な凹凸面としてもよい。更に、前面板２１４と表示器２１２の対向する双方の面をこのような微細な凹凸面としてもよい。更に同様に表示器と拡散板の対向する面の少なくとも一部をこのような凹凸面としてもよいことはもちろんである。
【００３１】
また、凹凸面については、本実施例のように梨地加工した型を用いるだけでなく、透明性のあるビーズ等の数μｍ〜２０μｍ程度の微細な微粒子を含んだマット調インクを前面板の一方の面に印刷することによっても形成することができる。また、前面板の表面に微細な砂粒子をエアー等の流体で吹き付けて、同様の微細な凹凸を形成するように削り取ってもよい。
【００３２】
更に実施例では携帯電話機のメインとなるディスプレイに本発明を適用したが、サブとなるディスプレイにも本発明を適用してもよいことは当然である。また、実施例ではバックライトを使用した透過型のディスプレイに対して本発明を適用したが、反射型のディスプレイに対しても本発明を適用することができる。
【００３３】
また、実施例では前面板２１４と表示器２１２の間の空気層２４１の厚さを０．３ｍｍとしたが、これに限るものではない。すなわち凹凸面２１４Ａと対向する表示器２１２等の面が接触しない程度で、かつ凹凸面２１４Ａの画像が十分な解像度を保つことができる厚さであればよい。たとえば０．０５ｍｍ以上０．５ｍｍ以下の厚さであれば、十分実用に耐えることができる。この厚さの範囲よりも薄くなるように前面板２１４と表示器２１２の周囲を防塵用クッション２１３で挟むことは、防塵作用を十分発揮させることができない。また、この厚さの範囲よりも厚くなるように前面板２１４と表示器２１２の周囲を防塵用クッション２１３で挟むと、数μｍ〜２０μｍの粒状の凹凸との関係で、画像のぼけが大きくなり、解像度を良好に保つことができない。
【００３４】
なお、実施例では前面板を透明な板状の部材としたが、必ずしも完全に透明である必要はなく、わずかに着色されていたり、特定の入射角の光のみを透過したり反射するような透光性を有する板状の部材であってもよい。
【図面の簡単な説明】
【００３５】
【図１】本発明の一実施例における携帯電話機の外観を表わした斜視図である。
【図２】図１に示した携帯電話機のディスプレイの部分の上部を分解した様子を表わした分解斜視図である。
【図３】図１に示した携帯電話機のＡ−Ａ方向断面図である。
【図４】図３における表示器とその上の前面板の周囲を拡大した断面図である。
【図５】従来の折り畳み型の携帯電話機におけるディスプレイの配置されている部分の断面図である。
【図６】図５で表示器とその上の前面板の間に空気層が存在する場合のこの周囲を拡大した断面図である。
【図７】図５で表示器とその上の前面板が接触した状態におけるこの周囲を拡大した断面図である。
【符号の説明】
【００３６】
２００  携帯電話機
２０６  ディスプレイ
２１２  表示器
２１３  防塵用クッション
２１４  前面板
２１４Ａ  凹凸面
２２６  バックライト
２３１  表示器固定用両面テープ
２３２  拡散板
２４１  空気層
【図１】
0004622821.tif 000002
【図２】
0004622821.tif 000003
【図３】
0004622821.tif 000004
【図４】
0004622821.tif 000005
【図５】
0004622821.tif 000006
【図６】
0004622821.tif 000007
【図７】
0004622821.tif 000008